(57)【要約】  本発明は、互いに結合し、家電機器に電気を供給するコンセントとプラグに関し、コンセントに導電物が差し込まれた際に電気ショックや短絡が起こるのを防ぐことができ、安全に使用することができる安全コンセントとプラグに関する。コンセントの差込み穴は湾曲形に形成され、把持部が差込み穴の内側に設けられている。また、プラグの差込み先がコンセントの差込み穴に差し込めるように、プラグの差込み先も湾曲形に形成されている。差込み先の一端に形成された導電突部がコンセントの把持部に連結されて、電気が供給される。差込み穴が湾曲形状のため、長い導体が差込み穴を通ることがないので、電気ショックや短絡を防ぐことができる。
2005510020.tif 000002
【特許請求の範囲】
【請求項１】
プラグの差込み先がコンセントの差込み穴に差し込まれる安全コンセント及びプラグであって、
プラグ１０の差込み先１１は湾曲状に形成され、導電突部が前記差込み先１１の端部に形成され、
コンセントの差込み穴２１は、前記差込み先１１を差し込めるように湾曲状に形成され、前記導電突部１２が接続される把持部２２が前記差込み穴２１に設けられていて、
前記プラグ１０の前記差込み先１１は、前記差込み穴２１の湾曲部に沿って、前記コンセント２０に差し込まれ、前記導電突部１２は前記把持部２２に電気的に接続される。
【請求項２】
請求項１に記載の安全コンセント及びプラグは、前記プラグ１０の前記差込み先１１と前記コンセント２０の前記差込み穴２１は湾曲形状に形成され、前記差込み先１１と前記差込み穴２１の断面は三角形に形成される。
【請求項３】
請求項１に記載の安全コンセント及びプラグは更に、円周方向に前記差込み穴２１の前記湾曲部に形成された複数の掛けつかみ２３を備え、前記掛けつかみ２３は接続溝２４を介して接続される。
【発明の詳細な説明】
【技術分野】
【０００１】  本発明は、互いに結合し、家電機器に電気を供給するコンセントとプラグに関し、特にコンセントに導電物が差し込まれた際に電気ショックや短絡が起こるのを防ぐことができ、安全に使用することができる安全コンセントとプラグに関する。
【背景技術】
【０００２】  コンセントにプラグを差し込んで電気を使う際、プラグをコンセントから外しても電流がまだコンセント内に流れている。そのため、子供の悪戯や偶然に導電物（例えば、箸、爪、ピン等）がコンセントの穴に挿入されたとき、電気ショックや短絡による電気事故が起こる（今日２２０Ｖの補正電力が送電されているので、大変危険である）。従って、人々は、子供が遊んでいる場所や一般的な家でコンセントを使うことを不安に感じている。
【発明の開示】
【発明が解決しようとする課題】
【０００３】  従来のコンセントにおいて、差込み穴が直線形に形成されているので、長い金属物を差込み穴に挿入することができるため、電気ショックや短絡の問題が起きる。
【課題を解決するための手段】
【０００４】  この問題を解決するため、本発明のコンセントの差込み穴は、湾曲形に形成されている。また、長い導電物をコンセントの差込み穴に差し込めないように、プラグの差込み先も湾曲形に形成されている。【０００５】  本発明によれば、コンセントの差込み穴は、湾曲形に形成され、把持部が差込み穴の内側に設けられている。また、プラグの差込み先がコンセントの差込み穴に差し込めるように、プラグの差込み先も湾曲形に形成されている。差込み先の一端に形成された導電突部がコンセントの把持部に連結されて、電気が供給される。差込み穴が湾曲形状のため、長い導体が差込み穴を通ることがないので、電気ショックや短絡を防ぐことができる。
【発明の効果】
【０００６】  本発明によれば、プラグの差込み先が差し込まれる差込み穴が湾曲状に形成されているので、導体をコンセントの差込み穴に差し込むことができない。よって、電気ショックや短絡などの危険な要因を防ぐことができる。【０００７】    また、硬性導体や弾性または柔軟導体に関係なく、様々な種類の導体をコンセントの差込み穴に差し込むことができない。よって、子供のいたずらなどの短絡や電気ショックなどの危険を回避することができる。
【発明を実施するための最良の形態】
【０００８】    本発明の上記目的や他の機能や効果は、好適な実施例を詳述することにより更に明らかになる。以下、本発明の好適な実施例を添付図面を参照して詳細に説明する。【０００９】  本発明によれば、プラグ１０の差込み先１１は湾曲状に形成され、導電突部１２が湾曲差込み先１１の端部に形成されている。コンセント２０の差込み穴２１は、湾曲差込み先１１が差込み穴２１に挿入されるように湾曲状に形成されている。また、湾曲差込み先１１が接続するように把持部２２が内部に設けられている。プラグ１０の湾曲差込み先１１は、湾曲差込み穴２１に沿ってコンセント２０内に挿入され、導電突部１２が把持部２２に嵌まり、電気が供給される。このとき、湾曲差込み先１１の曲率は、差込み穴の曲率と同一である。また、湾曲差込み先１１は、水平に置いたとき半球形である。プラグを略垂直状態にし、湾曲差込み先１１をプラグ１０が水平になるまで差込み穴２１に差し込み、導電突部１２を把持部２２に嵌める。【００１０】  複数の掛つかみ（ｈａｎｇｉｎｇ  ｊａｗｓ）２３が差込み穴２１の内部に弧状に形成されている。掛つかみ２３は接続溝２４に接続され、異物（例えば、導電物）が外部から内部に挿入されるのを防ぐように、内側から外側に突部が形成されている。掛けつかみ２３は差込み穴２１の湾曲部に形成される。【００１１】  差込み穴２１の断面と湾曲差込み先１１は三角形に形成されているので、挿入方向は確保される。【００１２】  図７に示すように、本発明のプラグ１０は、湾曲差込み先１１の長さにより１００Ｖ用プラグと２００Ｖ用プラグに分類することができる。換言すれば、１００Ｖ用プラグは２００Ｖ用プラグより短い。【００１３】  次に、図８は本発明の実施例に係る回転コンセント３０の図である。図８によれば、回転本体３１が回転可能に設けられていて、銅版３２を介して電気を供給している。銅版３２は、回転接触端子３３から供給される電流を電線で流している。【００１４】  回転本体３１が左右に回転し、回転状態で、回転接触端子３３から電気を供給することができる。回転コンセント３０に挿入されたプラグ１０は同様の状態で回転することができる。【００１５】  図９、１０に示すように、既存のプラグ１をノーマルアダプタ５０またはリバースアダプタ６０に挿入して使用することができ、本発明のプラグを既存のコンセントに使用することができる。【００１６】  既存のプラグ１の差込み先２をノーマルアダプタ５０に挿入し、把持部５１に接続させる。ノーマルアダプタ５０は、把持部５１に電気的に接続している導電突部１２を有する湾曲差込み先１１を備えている。リバースアダプタ６０は、後側に形成された既存の差込み先６１を有し、差込み先６１は把持部６２に電気的に接続されている。【００１７】  図２に示すように、プラグ１０をコンセント２０に挿入する場合、プラグを略垂直状態にし、湾曲差込み先１１を差込み穴２１の湾曲部に沿ってコンセント２０に挿入して、湾曲差込み先１１を差込み穴２１に挿入する。湾曲差込み先１１を完全に挿入すると、導電突部１２が、図３に示すように把持部２２に電気的に接続される。【００１８】  差込み先１１と差込み穴２１は三角形に形成されるので、所定の方���に挿入することができる。従って、湾曲差込み先１１が逆の状態で挿入されることを防ぐことができる。【００１９】  また、プラグ１０が引っ張られた場合、プラグ１０を下方に押す状態で、湾曲差込み先１１が差込み穴２１より引き抜かれる。【００２０】  プラグ１０の湾曲差込み先１１が差込み穴２１に完全に挿入されると、導電突部１２が把持部２２に嵌り、電気がコンセント２０からプラグ１０に供給される。【００２１】  このとき、突部１２は導電物質で形成され、湾曲差込み先１１の残りの部分は絶縁材で覆われており、電気事故が起こることを防止している。【００２２】  また、プラグ１０が挿入されていないときに、長い導電性の棒がコンセント２０の差込み穴２１に差し込まれた場合、長い導電性の棒は湾曲差込み穴２１を通ることができない。従って、電流が導電性の棒に流れることはなく、電気ショックや短絡を防ぐことができる。【００２３】  弾性導体の場合、弾性導体をコンセント２０の差込み穴２１に挿入できる可能性がある。しかしながら、本発明のコンセントは、突部が湾曲部に形成される掛けつかみ２３を有しているので、掛けつかみ２３の突部により弾性導体を差込み穴２１に差し込むことはできない。【００２４】  どのような種類の導体も差込み穴２１に押し込むことができないので、電気ショックや短絡を防ぐことができる。【００２５】  また、図８に示すように形成された回転コンセント３０は、プラグ１０が挿入される状態で自由に回転することができるので、電気がプラグ１０の回転に関係なく回転接触端子３３より電気を供給することができる。【００２６】  本発明によれば、既存のプラグ１をノーマルアダプタ５０を用いてコンセント２０に挿入することができる。既存のプラグ１の差込み先１１をノーマルアダプタ５０に挿入すると、既存のプラグ１の差込み先１１は把持部５１に接続され、電気経路を形成する。そして、把持部５１に電気的に接続されている差込み先１１がノーマルアダプタの片側に形成されている。【００２７】  したがって、本発明は、既存のプラグ１をコンセント２０に差し込めないという問題を解決することができ、既存のプラグ１をノーマルアダプタ５０を用いてコンセント２０に自由に差し込むことができる。【００２８】  また、本発明のプラグ１０は、リバースアダプタ６０にプラグ１０を差し込むことにより、既存のコンセントで使用することができる。プラグ１０の差込み先１１はリバースアダプタ６０に差し込まれ、把持部６２と電気的に接続する。把持部６２は既存のプラグの差込み先６１に電気的に接続され、差込み先６１は既存のプラグに差し込まれる。【００２９】  図示していないが、プラグ１０の差込み先１１は、柔軟な弾性材で形成することにより簡単にコンセント２０に差し込むことができる。また、差込み先は、差込み先１１の先端から２ｃｍを全体の厚さより厚くすることにより、既存のコンセントに真直ぐに差し込むことができる。【００３０】  本発明の好適な実施例を例示して開示したが、当業者は、特許請求の範囲の精神及び範囲を逸脱することなく様々に変形や追加や削除を行うことができるのは明らかである。
【図面の簡単な説明】
【００３１】
【図１】    本発明の実施例に係るプラグとコンセントを示した断面図である。
【図２】    プラグをコンセントに差し込む途中の状態を示した断面図である。
【図３】    プラグをコンセントに完全に差し込んだ最後の状態を示した断面図である。
【図４】    差込み先が差込み穴に差し込まれた状態を示した断面図である。
【図５】    差込み穴を示した部分断面図である。
【図６】    図６は、図５のＡ−Ａの断面を示した断面図である。
【図７】    本発明の実施例に係るプラグを示した上面図である。
【図８】    本発明に係る回転コンセントを示した断面図である。
【図９】    本発明に係るノーマルアダプタを示した断面図である。
【図１０】    本発明に係るリバースアダプタを示した断面図である。
【図１】
2005510020.tif 000003
【図２】
2005510020.tif 000004
【図３】
2005510020.tif 000005
【図４】
2005510020.tif 000006
【図５】
2005510020.tif 000007
【図６】
2005510020.tif 000008
【図７】
2005510020.tif 000009
【図８】
2005510020.tif 000010
【図９】
2005510020.tif 000011
【図１０】
2005510020.tif 000012
【国際調査報告】
2005510020.tif 000013
2005510020.tif 000014